(57)【要約】【目的】  腰に負担を掛けない運動ができる座椅子の提供。【構成】  背当ての傾動を渦巻きバネによる復元モーメントで付勢し、背当てに設けたカムプレートに、半径の異なる２段の切り欠き列を設け、操作レバーの操作によってこれにピンを噛み合わせ、背当てを任意の角度に固定できるようにし、また、操作レバーのストッパーにより、背当てを垂直から約４５°の範囲で上体の屈伸運動を行うことができるようにし、腰に負担を掛けずに背筋、腹筋、大腿四頭筋などの運動ができる座椅子。【選択図】        図１
2005028065.tif 000002
【特許請求の範囲】
【請求項１】
フレームＡに支持されたフレームＢを傾動できる運動機器において、フレームＢに、フレームＢを傾動するための回転軸を設け、フレームＢを後方に倒した時、このフレームＢの傾動に対して復元モーメントを発生するために渦巻きバネを設けることを特徴とする運動機器。
【請求項２】
フレームＡの上方に、フレームＢの回転軸を支持し、且つ、渦巻きバネの中心部を保持するための溝部を設けた支持部材を設け、この溝部に渦巻きバネをはめ込み、渦巻きバネの終端のＵ字形に曲げたフック部に、フレームＢもしくはカムプレートに設けたアンカーピンがはめ込まれるようにして、フレームＢを後方へ倒した時、この渦巻きバネがフレームＢの傾動に対して復元モーメントを発生するように構成されたことを特徴とする請求項１記載の運動機器。
【請求項３】
フレームＢの最大傾動角度を変更できるようにするために、回転軸からの半径の異なる円周上に複数の切り欠きと、両端部に突起を設けたカムプレートを設け、カムプレートの回転軸からの半径の大きい円周との間の段差に、アームのピンが当たってフレームＢの傾動を止めることができるようにすることを特徴とする請求項１記載の運動機器。
【請求項４】
フレームＢの傾動角度を任意の位置に固定できるようにするために、回転軸円周上に複数の切り欠きと、両端部に突起を設けたカムプレートを設け、フレームＡに回転自在に取り付けられたアームに設けられたピンが、カムプレートの切り欠きに噛み合って、フレームＢの傾動回転を係止できるように、復元バネでアームを付勢し、このアームに操作レバーを設けて、レバーの操作によってアームのピンと、カムプレートの噛み合いを脱着することを特徴とする請求項１記載の運動機器。
【請求項５】
フレームＢを前方へ倒して折り畳むことができるようにするために、操作レバーを作動させることによって、アームのピンがカムプレートの端部の突起から外れるように構成されることを特徴とする請求項１記載の運動機器。
【発明の詳細な説明】
【発明の詳細な説明】
【産業上の利用分野】
【０００１】  この発明は、高齢者や病弱者を含む一般人のための座椅子あるいは椅子状の運動機器に関する。
【背景技術】
【０００２】  従来の座椅子は、単に背当ての段階的リクライニングならびに折り畳みができるだけで、背筋、腹筋、大腿四頭筋などの運動による身体の機能回復や、筋力訓練およびシェープアップに役立つものではなく、また座椅子を利用した運動機器はこれまで例がなかった。
【発明が解決しようとする課題】
【０００３】  従来の座椅子ではできなかった、身体の機能回復や、筋力訓練およびシェープアップ効果を持たせることができるように、上体の屈伸運動を行うことができ、併せて背当てをフルリクライニングまでの任意の角度に固定し、且つ折り畳みが可能な座椅子を提供することを課題とする。
【０００４】  背筋、腹筋、大腿四頭筋などの運動の際には、大腿部と体幹との間の角度が約１３０°の間であれば、腰に負担が掛からないことが知られている。従って座面の迎角を５°とした時、運動時の背当ての最大傾斜角度が垂直から約４５°後方へ倒した状態となるように、ストッパーを設ける必要がある。
【０００５】  また、一般用の座椅子としては、背当てを後方へほぼ水平までの任意の角度で固定できる必要があり、また収納のためには、どの角度からも背当てを前方に倒して折り畳むことが求められる。
【課題を解決するための手段】
【０００６】  座面を保持するベースフレームに支持された背当てを傾動できる座椅子において、背当てフレームに、背当てを傾動するための回転軸と、この回転軸からの半径の異なる２段の円周上にそれぞれ複数の切り欠きと、両端部に突起を設けたカムプレートを設け、また、ベースフレームの上方に背当てフレームの回転軸を支持し、且つ、渦巻きバネの中心部を保持するための溝部を設けた支持部材を設け、この溝部に渦巻きバネをはめ込み、渦巻きバネの終端のＵ字形に曲げたフック部に、背当てフレームに設けたアンカーピンがはめ込まれるようにし、背当てフレームを後方へ倒した時、この渦巻きバネが背当てフレームの傾動に対して復元モーメントを発生するように渦巻きバネを組み付ける。
【０００７】  また、ベースフレームに回転自在に取り付けられたアームに設けられたピンが、カムプレートの切り欠きに噛み合って、背当ての傾動回転を係止できるように、復元バネでアームを付勢し、且つ、このアームに操作レバーを設けて、レバーの操作によって、アームのピンとカムプレートの切り欠きとの噛み合いを着脱できるようにする。
【０００８】  このアームの復元バネによる戻りを、途中で任意に制止できるストッパーを設けて、カムプレートの半径の小さい円周上の切り欠きに、アームのピンが噛み合わないようにすると共に、カムプレートの半径の大きい円周との間の段差に、アームのピンが当たって止まり、その時の背当ての傾斜角度が垂直から約４５°後方へ倒した状態となるようにする。
【０００９】  背当てを最も立てた状態の時、アームのピンが、カムプレートの半径の小さい円周上の切り欠き列の端に設けた突起部に当たるようにし、背当てをほぼ水平まで倒した状態の時、カムプレートの半径の大きい円周上の切り欠き列の端に設けた突起部に、アームのピンが当たって止まるように配置される。
【００１０】  着座した使用者が、渦巻きバネの復元モーメントに抗して、背当てを自力で立てたり倒したりしながら、操作レバーを操作して、アームのピンと、カムプレートの任意の位置の切り欠きとの噛み合いを着脱することによって、背当てを最も立てた状態からほぼ水平まで倒した状態までの任意の角度に設定することができる。
【００１１】  また、背筋、腹筋、大腿四頭筋などの運動の際には、アームの戻りをストッパーによって途中で制止して、カムプレートの半径の小さい円周上の切り欠きに、アームのピンが噛み合わないようにすると共に、半径の大きい円周との間の段差部に、アームのピンが当たって止まることによって、大腿部と体幹との間の角度が約１３０°すなわち、背当てを約４５°の角度まで倒した状態まで、渦巻きバネの復元モーメントに抗して、上体を立てたり倒したりする上体の屈伸運動を行うことができる。
【００１２】  またさらに、アームのピンが、カムプレートの半径の小さい円周上の切り欠き列の端に設けた突起部を外れるまで、操作レバーを押し下げることによって、背当てを前方へ倒して折り畳むことができると共に、前方へ倒した背当てを立てる時、アームのピンがカムプレートの斜面部を乗り越え、背当てを最も立てた状態で止めることができる。
【００１３】  座椅子に着座した使用者が上体の屈伸運動を行う時、座面に対する背当ての回転中心軸が、人体の座骨結節にできるだけ近いことが望ましい。本発明の運動座椅子は、背当ての回転中心軸と座面との距離を自由に設定でき、また、背当てフレームから離れた位置に、背当ての回転中心軸を設定できるために、背当ての回転中心軸が、人体の座骨結節にできるだけ近い位置になるように設定でき、上体の屈伸運動を行う時、人体の背中と背当てのクッション面が、互いにずれることを防ぐことができる。
【実施例】
【００１４】  以下、本発明の具体的な実施例を図面により詳述する。
床面１によって支えられるベースフレーム２には、座面３が固定され、ベースフレーム２の上方には、背当てフレーム４に取り付けられたカムプレート５の回転中心軸６を保持し、渦巻きバネ７の中心部８をはめ込むための溝部９を有する支持部材１０が取り付けられた、肘掛けを兼ねたループフレーム１１が設けられる。【００１５】  カムプレート５には、回転軸６からの半径の小さい円周上の複数の切り欠き１２と、これより半径のやや大きな円周上の複数の切り欠き１３と、これら２つの異なる半径の間の段差部１４と、両端部に突起１５および１６を設け、且つ、渦巻きバネ７の終端のＵ字形に曲げたフック部１７にはめ込まれるアンカーピン１８が設けられる。【００１６】ベースフレーム２にはまた、回転軸１９に回転ならびに摺動自在に取り付けられたアーム２０が設けられ、カムプレート５の切り欠き１２および１３に噛み合って、背当ての傾動回転を係止できるようにピン２１と、復元バネ２２が設けられ、且つ、このアーム２０に操作レバー２３を設けて、操作レバー２３の操作によって、ピン２１とカムプレート５の切り欠き１２および１３との噛み合いを着脱できるようにする。【００１７】  ベースフレーム２にはまた、操作レバー２３の作動範囲を定めると共に、ピン２１が、回転軸６からの半径の小さい円周上の複数の切り欠き１２に噛み合わないような位置に止めておけるように、途中に段差部２４を設けたガイドプレート２５が設けられる。【００１８】  操作レバー２３が段差部２４によって止まっている状態では、ピン２１は回転軸６からの半径の小さい円周上の複数の切り欠き１２に噛み合わないために、カムプレート５は、段差部１４と端部の突起１５にピン２１が当たるまでの間を自由に回転することができ、この範囲での上体の屈伸運動ができることになる。【００１９】  操作レバー２３を更に押し下げて、ピン２１が段差１４を乗り越えると、半径のやや大きな円周上の複数の切り欠き１３に、ピン２１を噛み合わせることができるため、上体の屈伸運動と併せて通常の座椅子として使用することもできる。【００２０】  また、ピン２１が端部の突起１５を乗り越えるまで操作レバー２３を押し下げると、背当てフレーム４を前方へ倒して折り畳むことができる。この時、アンカーピン１８は、渦巻きバネ７のフック部１７から外れて回転するため、背当てを折り畳む時、渦巻きバネ７に拘束されることによる支障はない。【００２１】  また、前方へ倒した背当てを立てる時、ピン２１がカムプレート５の斜面部２５を乗り越え、背当てを最も立てた状態で止めることができる。
【発明の効果】
【００２２】  操作レバーの簡単な操作により、通常の座椅子として、背当てを任意の角度に設定して使用できるだけでなく、簡単に折り畳むことができ、また、背当てを最も立てた状態から、約４５°までの、腰に最も負担のかからない角度の範囲で、上体の屈伸運動を行うことによって、背筋、腹筋、大腿四頭筋などの運動による効果的な運動器具として使用することができる効果がある。
【００２２】  背当ての回転中心軸が、人体の座骨結節にできるだけ近い位置になるように設定できるため、上体の屈伸運動を行う時、人体の背中と背当てのクッション面が、互いにずれることを防ぐ効果がある。
【図面の簡単な説明】
【図１】  背当てを最も立てた状態を示す側面図である。
【図２】  背当ての回転部を示す斜視図である。
【符号の説明】
（１）  床面
（２）  ベースフレーム
（３）  座面
（４）  背当てフレーム
（５）  カムプレート
（６）  背当ての回転軸
（７）  渦巻きバネ
（８）  渦巻きバネの中心部
（９）  渦巻きバネをはめる溝部
（１０）  支持部材
（１１）  ループフレーム
（１２）  半径の小さい円周上の切り欠き
（１３）  半径の大きい円周上の切り欠き
（１４）  カムプレートの段差
（１５）  突起
（１６）  突起
（１７）  渦巻きバネのフック部
（１８）  アンカーピン
（１９）  アームの回転軸
（２０）  アーム
（２１）  係止ピン
（２２）  復元バネ
（２３）  操作レバー
（２４）  ガイドプレートの段差部
（２５）  ガイドプレート
（２６）  カムプレートの斜面部
【図１】
2005028065.tif 000003
【図２】
2005028065.tif 000004